(57)【要約】      （修正有）【課題】子供が頭に着用して遊ぶのに適しており、尚且つ本物のように立体的に楽しみながら組み立てられる着用兜を提供する。【解決手段】兜鉢部１０と、当該兜鉢部１０の下方前面に設けられた眉屁部３０と、前記兜鉢部１０の下方両面から下方後面にわたり設けられたしころ部２０と、当該しころ部２０の両端に設けられた吹返部（４０、５０）と、前記眉屁部３０の上方に設けられた鍬形部９０という部材を備えて着用兜１００を形成する。また、前記兜鉢部１０、前記眉屁部３０、前記しころ部２０、前記吹返部（４０、５０）、及び前記鍬形部９０の前記各部材は、シート材から切り出され、折り曲げられて立体的に形成され、さらに、前記各部材を組み付けることで、着用兜１００全体が形成される。【選択図】図１
0003175030.tif 000002
【実用新案登録請求の範囲】
【請求項１】
兜鉢部と、当該兜鉢部の下方前面に設けられた眉屁部と、前記兜鉢部の下方両面から下方後面にわたり設けられたしころ部と、当該しころ部の両端に設けられた吹返部と、前記眉屁部の上方に設けられた鍬形部という部材を備える着用兜であって、
前記兜鉢部、前記眉屁部、前記しころ部、前記吹返部、及び前記鍬形部の前記各部材は、シート材から切り出され、折り曲げられて立体的に形成され、
さらに、前記各部材を組み付けることで、着用兜全体が形成されることを特徴とする着用兜。
【考案の詳細な説明】
【技術分野】
【０００１】
本考案は、子供が頭に着用することができる着用兜に関する。
【背景技術】
【０００２】
日本の家庭では、特に五月の節句の時期に、子供の成長を願うために兜を飾る習慣がある。この兜は家庭の床の間等に飾られており、プラスチック、布、及び金属等の様々な素材を用いて本物のように作られている。
【０００３】
しかし、このような兜は、複雑で重厚な作りとなっており、子供が頭に着用して遊ぶには、適していない。また、兜は既に組み立てられた状態で市販されているのがほとんどであり、子供が楽しみながら組み立てられるものがなかった。
【考案の概要】
【考案が解決しようとする課題】
【０００４】
そこで、本考案は、上記問題に鑑み、子供が頭に着用して遊ぶのに適しており、尚且つ本物のように立体的に楽しみながら組み立てられる着用兜を提供するものである。
【課題を解決するための手段】
【０００５】
上記課題を解決するために、本考案の着用兜は、兜鉢部と、当該兜鉢部の下方前面に設けられた眉屁部と、前記兜鉢部の下方両面から下方後面にわたり設けられたしころ部と、当該しころ部の両端に設けられた吹返部と、前記眉屁部の上方に設けられた鍬形部という部材を備える着用兜であって、前記兜鉢部、前記眉屁部、前記しころ部、前記吹返部、及び前記鍬形部の前記各部材は、シート材から切り出され、折り曲げられて立体的に形成され、さらに、前記各部材を組み付けることで、着用兜全体が形成されることを特徴としている。
【０００６】
上記特徴によれば、兜鉢部、眉屁部、しころ部、吹返部、及び鍬形部の前記各部材は、シート材から切り出され、折り曲げられて形成される。したがって、各部材は簡易な構造で容易に形成でき、さらに各部材は、表面のシート材のみで内実がないので、組み付けた着用兜全体の重量も軽い。そのため、本考案の着用兜は、子供が着用して遊ぶのに適している。また、着用兜全体は、立体的に形成された各部材を組み付けて形成されるため、本物のような立体感を得ることができる。したがって、５月の節句の時期に家庭の床の間等に飾ることができる。さらに、各部材を立体的に形成し、組み付けて着用兜全体を形成する過程において、各部材の構造や、各部材からどのように着用兜全体が形成されるのかということが理解でき、子供が楽しみながら着用兜を組み立てられる。
【考案の効果】
【０００７】
本考案の着用兜によれば、子供が頭に着用して遊ぶのに適しており、尚且つ本物のように立体的に楽しみながら組み立てられるという効果を奏する。
【図面の簡単な説明】
【０００８】
【図１】（ａ）は、本考案の着用兜の一例の正面図、（ｂ）はその着用兜の背面図である。
【図２】（ａ）は、本考案の着用兜の兜鉢部の展開図、（ｂ）は組み立て後の兜鉢部の斜視図である。
【図３】（ａ）は、本考案の着用兜のしころ部の分解展開図、（ｂ）は組み立て後のしころ部の斜視図である。
【図４】（ａ）は、本考案の着用兜の眉屁部の展開図、（ｂ）は組み立て後の眉屁部の斜視図である。
【図５】（ａ）は、本考案の着用兜の吹返部の展開図、（ｂ）は組み立て後の吹返部の斜視図である。
【図６】（ａ）は、本考案の着用兜の鍬形部の中央部の展開図、（ｂ）は組み立て後の鍬形部の中央部の正面斜視図、（ｃ）は組み立て後の鍬形部の中央部の背面斜視図である。
【図７】（ａ）は、本考案の着用兜の鍬形部の左端部の展開図、（ｂ）は組み立て後の鍬形部の左端部の背面斜視図、（ｃ）は組み立て後の鍬形部の左端部の正面図である。
【図８】（ａ）は、本考案の着用兜の鍬形部の右端部の展開図、（ｂ）は組み立て後の鍬形部の右端部の背面斜視図、（ｃ）は組み立て後の鍬形部の右端部の正面図である。
【図９】本考案の着用兜の実施形態の他例である。
【図１０】本考案の着用兜の各部材の販売形態を示す図である。
【符号の説明】
【０００９】
１０   兜鉢部
２０   しころ部
３０   眉屁部
４０   右吹返部
５０      左吹返部
９０      鍬形部
１００    着用兜
【考案を実施するための形態】
【００１０】
以下に、本考案の実施の形態について、図面を用いて説明する。
【００１１】
図１（a）は本考案の着用兜１００の正面図、図１（ｂ）は本考案の着用兜１００の背面図である。着用兜１００は、兜鉢部１０、しころ部２０、眉屁部３０、右吹返部４０、左吹返部５０、鍬形部９０を備えている。眉屁部３０は、兜鉢部１０の下方前面に設けてあり、眉屁部３０の上方には鍬形部９０が設けてある。また、しころ部２０は、兜鉢部１０の下方両面から下方後面にわたり設けてある。さらに、しころ部２０の両端には、右吹返部４０及び左吹返部５０が設けてある。また、鍬形部９０は、中央部６０とその両端に組みつけられた左端部７０及び右端部８０から構成されている。以下では、各部材が、シート材から切り出され、折り曲げられて立体的に形成される態様について、詳しく説明する。
なお、この各部材は、後述するようにシート材を折り曲げて形成しており、表面のシート材のみで内実がないので、重量が軽い。したがって、各部材を組み付けて形成した着用兜全体の重量も軽くなる。また、シート材の原料としては、紙や合成紙等が用いられる。
【００１２】
図２（a）及び（ｂ）では、兜鉢部１０の形成態様について説明する。図２（a）には、シート材から切り出された兜鉢部１０の平面状の展開図が示してある。兜鉢部１０は、中心Oから放射状に、分離片１１から分離片１８を備えており、各分離片の端部から中心Oまでの長さLは等しい。そして、隣接する分離片の対向する辺同士を重ね合わせるようにして各分離片を内側に湾曲するように折り曲げていくと、兜鉢部１０は、図２（ｂ）に示すような中心Oを頂点とする釣鐘型となる。
【００１３】
具体的には、まず、分離片１１の辺１１ｆと分離片１８の辺１８ｆとが重なるように、分離片１１と分離片１８を内側に湾曲させながら互いに近づけ、糊代部１１eを分離片１８の裏面に接着させる。次に、分離片１１の辺１１ｂと分離片１８の辺１８ｃとが重なるように、分離片１１と分離片１８を内側に湾曲させながら互いに近づけ、糊代部１１aを分離片１８の裏面へ、糊代部１８ｄを分離片１１の裏面へ接着させる。すると、分離片１１と分離片１８は互いに連結する。
【００１４】
次に、分離片１１と分離片１２の連結について説明する。まず、分離片１１の辺１１ｃと分離片１２の辺１２ｂとが重なるように、分離片１２を分離片１１へ内側に湾曲させながら近づけ、糊代部１１ｄを分離片１２の裏面へ、糊代部１２aを分離片１１の裏面へ接着させる。すると、分離片１２が分離片１１に連結することになる。さらに、この連結作業を、隣接する分離片１３と分離片１２に対しても続けて行い、分離片１８まで順次行う。すると、兜鉢部１０は、図２に示すような釣鐘型の立体的な形状となる。なお、連結方法は、分離片１１と分離片１２の連結方法と変わらないので、対応する部分には、同一の符号（a〜ｄ）を付して詳細な説明を省略する。また、中心Oから分割片の端部までの長さLは約１４０ミリメートルとなっており、図２（ｂ）のように組み立てた時に、兜鉢部１０は子供の頭頂部を覆うことができる。勿論、各分離片の端部から中心Oまでの長さLを、仕様に合わせて、適宜変更することができる。
【００１５】
兜鉢部１０の前面には分離片１４及び分離片１５が位置し、下方には谷折りされた糊代部１４e及び糊代部１５eが位置している。この糊代部１４e及び糊代部１５eは、後述する眉屁部３０の上面３１の裏面に接着され、眉屁部３０が兜鉢部１０の下方前面に組みつけられることとなる。また、兜鉢部１０の両面から後面には、分離片１６、分離片１７、分離片１８、分離片１１、分離片１２、分離片１３が連続して位置している。そして、その各分離片の下方裏面に、後述するしころ部２０の糊代部（２１Lｃ、２１Lｄ、２１Re、２１Rｄ、２１Rｃ）が接着される。また、兜鉢部１０の谷折りされた糊代部１８eがしころ部２０の左上段部２１Lの裏面に接着される。このようにして、兜鉢部１０の下方両面から下方後面にわたりしころ部２０が組み付けられることになる。
【００１６】
図３（a）及び（ｂ）では、しころ部２０の形成態様について説明する。図３（a）には、シート材から切り出されたしころ部２０の右上段部２１R、右中段部２２R、右下段部２３R、左上段部２１L、左中段部２２L、左下段部２３Lの平面状の展開図が示してあり、これら６つのパーツを互いに連結することで、図３（ｂ）のようにしころ部２０が立体的に形成される。また、各しころ部は、長尺状をしており、複数の糊代部を備えている。
【００１７】
では、図３（a）を参照して、右上段部２１Rと右中段部２２Rとの連結について説明する。まず、右中段部２２Rの糊代部２２Rｃから糊代部２２Rｇを山折りにする。そして、右上段部２１Rの下辺２１Rｂと右中段部２２Rの上辺２２Raとが重なるように、右上段部２１Rと右中段部２２Rを内側に湾曲させながら互いに近づけ、糊代部２２Rｃから糊代部２２Rｇを右上段部２１Rの裏面に接着させる。すると、下辺２１Rｂが盛り上がるように、右上段部２１Rと右中段部２２Rとが連結する。
【００１８】
次に、右中段部２２Rと右下段部２３Rとの連結について説明する。まず、右下段部２３Rの糊代部２３Rｃから糊代部２３Rｇを谷折りにする。そして、右中段部２２Rの下辺２２Rｂと右下段部２３Rの上辺２３Raとが重なるように、右中段部２２Rと右下段部２３Rを内側に湾曲させながら互いに近づけ、糊代部２３Rｃから糊代部２３Rｇを右中段部２２Rの裏面に接着させる。すると、下辺２２Rｂがへこむように、右中段部２２Rと右下段部２３Rとが連結する。すると、右上段部２１Rと右中段部２２Rと右下段部２３Rは、互いに連結することになる。
【００１９】
また、左上段部２１Lと左中段部２２Lと左下段部２３Lは、それぞれ右上段部２１Rと右中段部２２Rと右下段部２３Rと、一部を除き同様の構成をしており、上記の連結方法と同じ要領によって、互いに連結する。そのため、対応する部分には、同一の符号（a〜f）を付して詳細な説明を省略する。なお、異なる構成は、左上段部２１Lの山折りされた糊代部２１Lｈは左中段部２２Lの裏面に接着され、左中段部２２Lの谷折りされた糊代部２２Lｈは左下段部２３Lの裏面に接着されることである。そして、左上段部２１Lと左中段部２２Lと左下段部２３Lは、互いに連結された後、糊代部２１Liを右上段部２１Rの裏面へ、糊代部２２Liを右中段部２２Rの裏面へ、糊代部２３Liを右下段部２３Rの裏面へ接着する。すると、右上段部２１Rと右中段部２２Rと右下段部２３Rから構成されるしころ部２０の右側部と、左上段部２１Lと左中段部２２Lと左下段部２３Lから構成されるしころ部２０の左側部とが連結し、しころ部２０は、図３（ｂ）に示すような立体的な形状となる。なお、左上段部２１Lの端部の糊代部２１Lｊ、及び左中段部２２Lの端部の糊代部２２Lｊには、後述する右吹返部４０の左端面４２Lが接着される。また、右上段部２１Rの端部の糊代部２１Rｊ、及び右中段部２２Rの端部の糊代部２２Rｊには、左吹返部５０の右端面が接着する。したがって、吹返部（４０、５０）は、しころ部２０の両端に組み付けられることになる。
【００２０】
図３（ｂ）に示すように、右上段部２１R、右中段部２２R、左上段部２１L及び左中段部２２Lからなる側面は、内側へ湾曲した形状となり、子供の側頭部から後頭部にかけて包み込むようになっている。また、右下段部２３R及び左下段部２３Lからなる外側面は、外側へ向けて跳ね上がるようになっている。また、しころ部２０の上端に位置する谷折りされた糊代部２１Lｃ、糊代部２１Lｄ、糊代部２１Re、糊代部２１Rｄ、糊代部２１Rｃは、順次、兜鉢部１０の分離片１６、分離片１７、分離片１１、分離片１２、分離片１３の裏面に接着され、兜鉢部１０の下方両面から下方後面にわたりしころ部２０が組み付けられることになる。
【００２１】
図４（a）及び（ｂ）では、眉屁部３０の形成態様について説明する。図４（a）は、シート材から切り出された眉屁部３０の平面状の展開図、図４（ｂ）は、眉屁部３０を組み立てた状態の斜視図を示している。図４（a）に示すように、眉屁部３０は、上面３１、及び上面３１の前方を取り囲むように、右側面３２R、右側面３３R、左側面３２L、左側面３３L、前側面３４を備えている。また、右側面３２Rと左側面３２L、右側面３３Rと左側面３３Lは、それぞれ左右対称の構造になっている。
【００２２】
眉屁部３０を組み立てるために、まず、右側面３２Rを、辺３２Raで山折りにして、上面３１と右側面３２Rとがほぼ直角になるまで内側へ折る。そして、辺３２Rｂと辺３５Raが重なるように、右側面３２Rの先端側（糊代部３２Rｃ側）を内側に屈曲させ、糊代部３５Rを右側面３２Rの裏面に接着させる。さらに、右側面３３Rを、辺３３Raで山折りにして、上面３１と右側面３３Rとがほぼ直角になるまで内側へ折り、内側へ折られた糊代部３２Rｃを右側面３３Rの後端側（糊代部３３Rｃの反対側）の裏面に接着させる。そして、辺３３Rｂと辺３６Raが重なるように、右側面３３Rの先端側（糊代部３３Rｃ側）を内側に屈曲させ、糊代部３６Rを右側面３３Rの裏面に接着させる。次に、前側面３４を、辺３４aで山折りにし、上面３１と前側面３４とがほぼ直角になるまで内側へ折る。そして、内側に折られた糊代部３３Rｃを前側面３４の裏面に接着させる。このようにして、眉屁部３０の右側の側面が立体的に形成される。
【００２３】
次に、左側面３２L及び左側面３３Lに対しても上記の形成方法を適用することで、眉屁部３０の左側の側面が形成され、眉屁部３０は図５（ｂ）に示す立体的な形状に形成される。なお、形成方法は、右側面３２R及び右側面３３Rの形成方法と変わらないので、対応する部分には、同一の符号（a〜ｃ）を付して詳細な説明を省略する。また、上面３１の左後端３１Lの裏面には兜鉢部１０の糊代部１４eが、右後端３１Rの裏面には兜鉢部１０の糊代部１５eが接着され、兜鉢部１０の下方前面に眉屁部３０が組み付けられる。
【００２４】
図５（a）及び（ｂ）では、右吹返部４０の形成態様について説明する。図５（a）には、シート材から切り出された右吹返部４０の平面状の展開図が示してある。この右吹返部４０は、上面４１T、側面４２及び下面４１Bを備え、組み立てると図５（ｂ）に示す後方が開口した略円柱体となる。
【００２５】
では、図５（a）を参酌して、右吹返部４０の組み立て方を説明する。まず、右吹返部４０の上面側を形成するために、上面４１Tを、辺４１Tｃで山折りにし、上面４１Tと側面４２とがほぼ直角になるまで内側へ折る。さらに、辺４１Teと辺４２Teとが重なるように、右端面４２Rを辺４２Raで山折りにし、内側へ折られた糊代部４１Taを右端面４２Rの裏面に接着させる。次に、側面４２の上側の辺４２Tｆが上面４１Tの辺４１Tｄに重なるように、側面４２の左端面４２L側を辺４１Tｄに巻きつけるように屈曲させて、内側へ折られた糊代部４２Taから糊代部４２Tｄを上面４１Tの裏面に接着させる。さらに、辺４１Tｆと辺４２Tgとが重なるように、左端面４２Lを辺４２Laで山折りにし、内側へ折られた糊代部４１Tｂを左端面４２Lの裏面に接着させる。すると、上面４１Tの周辺の辺４１Te、辺４１Tｄ、辺４１Tｆが、側面４２の上辺側に連結され、右吹返部４０の上面側が形成される。
【００２６】
また、右吹返部４０の下面側は、上面４１Tと同じ構成の下面４１Bによって上記の形成方法と同じ要領で、形成される。そして、右吹返部４０の上面と下面側が形成されると、図５（ｂ）に示す立体的な略円柱状の右吹返部４０が形成される。なお、下面４１Bには、上面４１Tと対応する部分に、同一の符号（a〜ｆ）を付してあり、詳細な説明を省略する。また、左吹返部５０は、右吹返部４０と左右対称の構成となっており形成方法も同じなので、詳細な説明は省略する。
【００２７】
図６（a）から（ｃ）では、鍬形部９０の中央部６０の形成態様について説明する。図６（a）は、シート材から切り出された中央部６０の平面状の展開図、図６（ｂ）は、中央部６０を組み立てた状態の正面斜視図、図６（ｃ）は、中央部６０を組み立てた状態の背面斜視図を示している。図６（a）に示すように、中央部６０右端は、右端の表面を構成する右表面６１Rと、右端の裏面を構成する右裏面６２R及び右裏面６３Rを備える。また、中央部６０左端は、左端の表面を構成する左表面６１Lと、左端の裏面を構成する左裏面６２L及び左裏面６３Lを備える。
【００２８】
まず、中央部６０右端を組み立てるために、右裏面６２Rを辺６２Raで山折りにし、右裏面６３Rを辺６３Raで山折りにし、辺６３Rｂが辺６４Raに重なるように、右裏面６３Rを右表面６１Rの裏側へひっくり返す。そして、辺６４Raで山折りにされた糊代部６４Rを右裏面６３Rの裏面に接着させる。すると、図６（ｂ）に示すように、右表面６１R、右裏面６２R、及び右裏面６３Rで形成される形状は、略三角柱となる。また、中央部６０左端においても、左表面６１L、左裏面６２L、及び左裏面６３Lに対して、上記の形成方法を適用することで、図６（ｃ）に示すように、左表面６１L、左裏面６２L、及び左裏面６３Lで形成される形状が略三角柱となる。なお、左表面６１L、左裏面６２L、及び左裏面６３Lには、右表面６１R、右裏面６２R、及び右裏面６３Rと対応する部分に、同一の符号（a〜ｂ）を付して詳細な説明を省略する。
【００２９】
また、表面６１の下方には、支持台６５aと支持柱６５ｂからなる支持部６５が設けられており、支持台６５aを辺６５ｃで谷折りにし、支持台６５aと支持柱６５ｂとがほぼ直角になるまで折り曲げる。すると、図６（ｂ）に示すように、支持台６５a及び支持柱６５ｂが中央部６０を支える支持脚となる。そして、支持台６５aの裏面を眉屁部３０の糊代部３１aへ接着させることで、中央部６０は眉屁部３０の上方へ組み付けられることになる。
【００３０】
また、支持部６６Rは、先端に支持面６６Rｃを備えており、辺６６Ra及び辺６６Rｂで谷折りすることで、支持面６６Rｃが右裏面６３Rから延設されることになる。また、支持部６６Lも支持部６６Rと同様の構成である。そして、延設された支持面６６Rｃは１０の表面の糊代部１５ｆに、延設された支持面６６Lｃは１０の表面の糊代部１４ｆに接着され、中央部６０が直立した状態を保てるように、中央部６０を背面から支持することになる。
【００３１】
図７（a）から（C）では、左端部７０の形成態様について説明する。図７（a）は、シート材から切り出された左端部７０の平面状の展開図、図７（ｂ）は、左端部７０を組み立てた状態の背面斜視図、図７（ｃ）は、左端部７０を組み立てた状態の正面図を示している。左端部７０は、表面７１と、裏面７２及び裏面７３を備えている。
【００３２】
まず、左端部７０を組み立てるには、裏面７２の先端を辺７２ｂで山折りに、裏面７３の先端を辺７３ｂで山折りにする。次に、辺７２ｃを山折りにして、裏面７２と裏面７３を互いに近づける。その状態で、辺７２aと辺７３aとが重なるように、裏面７２の先端と裏面７３の先端とを近づけ、糊代部７５を裏面７３の先端の裏面に接着させる。さらに、辺７２aの上下に位置する辺７２ｄ及び辺７３ｃを山折りにする。そして、辺７１aを山折りにして、裏面７２及び裏面７３を表面７１の裏側へ向けて折り曲げ、辺７１ｂで山折りした糊代部７４の裏面を裏面７３の表面に接着させる。すると、図７（ｂ）に示すように、表面７１、裏面７２、裏面７３で形成される部分の形状は、略三角錐となる。
【００３３】
また、上記のように組み立てると、図７（a）に示す辺７２eと辺７３ｄは連続する辺となり、辺７２e、辺７３ｄ及び辺７３eで形成される左端部７０先端の裏側の外郭形状と、辺７１ｃ及び辺７１ｄで形成される左端部７０先端の表側の外郭形状が一致する。従って、図７（ｂ）及び（ｃ）に示すように、左端部７０は、先端が尖った筒状体となる。また、図７（ｂ）に示す表面７１、裏面７２、裏面７３で形成される開口部を、図６（ｂ）及び（ｃ）に示す中央部６０の左表面６１L、左裏面６２L、左裏面６３Lで形成される略三角柱状の突出部に挿入することで、左端部７０は中央部６０に組み付けられる。
【００３４】
図８（a）から（ｃ）では、右端部８０の形成態様について説明する。図８（a）は、シート材から切り出された右端部８０の平面状の展開図、図８（ｂ）は、右端部８０を組み立てた状態の背面斜視図、図８（ｃ）は、右端部８０を組み立てた状態の正面図を示している。右端部８０は、表面８１と、裏面８２及び裏面８３を備えている。この表面８１、裏面８２及び裏面８３は、左端部７０の表面７１、裏面７２及び裏面７３と同様の構成をしており、上記した左端部７０を組み立てた方法（図７参照）と同じ要領で、組み立てることができる。なお、表面８１、裏面８２及び裏面８３には、表面７１、裏面７２及び裏面７３と対応する部分に、同一の符号（a〜e）を付して詳細な説明を省略する。以下では、左端部７０の組み立て方と相違する点のみ説明する。
【００３５】
まず、右端部８０を組み立てるには、裏面８２の先端を辺８２ｂで山折りにする。そして、辺８２ｃを山折りにして裏面８２と裏面８３を互いに近づける。その状態で、辺８２aと辺８３aとが重なるように、裏面８２の先端と裏面８３の先端を近づけ、糊代部８５を裏面８３の先端の裏面に接着させる。この後に続く組み立て作業は、図７で説明している組み立て方と同じなので省略する。そして、組み立てられた右端部８０は、図８（ｂ）及び（ｃ）に示すように、先端が尖った筒状体となる。また、図８（ｂ）に示す表面８１、裏面８２、裏面８３で形成される開口部を、図６（ｂ）及び（ｃ）に示す中央部６０の右表面６１R、右裏面６２R及び右裏面６３Rで形成される略三角柱状の突出部に挿入することで、右端部８０は中央部６０に組み付けられる。
【００３６】
図９は、本考案の着用兜の実施形態の他例である。図９（a）に示す着用兜２００、及び（ｂ）に示す着用兜３００は、着用兜１００の鍬形部９０とは形状が異なるが、他の構成は同じである。着用兜２００の鍬形部１９０は、U型の形状をしており、着用兜３００の鍬形部２９０はフォーク型の形状をしている。このように、鍬形部の形状は、仕様に応じて任意に変更可能である。また、着用兜の各部材の色彩、模様、形状等も仕様に応じて任意に変更可能である。
【００３７】
図１０（a）及び（ｂ）は、本考案の着用兜の各部材の販売形態を示す図であり、着用兜を構成する各部材である兜鉢部１０、しころ部２０、眉屁部３０、右吹返部４０、左吹返部５０、及び鍬形部９０を構成する中央部６０、左端部７０及び右端部８０が、それぞれ展開した状態で、平面状のシート材（X１〜X８）に印刷してある。図１０（a）に示すシート材X１には、展開した状態の兜鉢部１０と、眉屁部３０が印刷してある。そして、これらを切り出したものが、図２（a）に示す兜鉢部１０、図４（a）に示す眉屁部３０である。
【００３８】
同様に、図１０（ｂ）に示すシート材X２には、しころ部２０の右上段部２１R、及び左上段部２１Lが、シート材X３には、しころ部２０の右中段部２２R、及び左中段部２２Lが、シート材X４には、しころ部２０の右下段部２３R、及び左下段部２３Lが、シート材X５には、右吹返部４０が、シート材X６には、左吹返部５０が、シート材X７には、鍬形部９０を構成する中央部６０及び左端部７０が、シート材X８には、鍬形部９０を構成する右端部８０が、それぞれ展開した状態で印刷してある。そして、計８枚のシート材（X１〜X８）から切り出した各部材を折り曲げて立体的に形成して組み付けることで、図１に示す着用兜１００全体が形成される。
【００３９】
このように、着用兜を組み立てるのに必要な各部材が印刷されたシート材を８枚で一組として販売する。また、各シート材は、全て平面状で同じ大きさ（略A３サイズ）なので、互いに重ねやすく、取り扱いも容易である。なお、シート材に印刷された各部材に、切り込み線や折り曲げ線などを、あらかじめ入れておき、組立作業を容易にすることもできる。また、各シート材に印刷する部材の数や種類を変更すれば、必要となるシート材の枚数を増減させることも可能である。
【００４０】
なお、本考案の着用兜は、上記の実施例に限定されず、実用新案登録請求の範囲に記載された範囲、実施形態の範囲で、種々の変形例、組み合わせが可能であり、これらの変形例、組み合わせも本考案の範囲に含むものである。さらに、各部材を形成するにあたり上述した組み立て順序に限定されるものではない。
【産業上の利用可能性】
【００４１】
本考案の着用兜は、子供が頭に着用して遊ぶのに適しており、尚且つ本物のように立体的に楽しみながら組み立てられることが要請される産業分野に利用することができる。
【図１】
0003175030.tif 000003
【図２】
0003175030.tif 000004
【図３】
0003175030.tif 000005
【図４】
0003175030.tif 000006
【図５】
0003175030.tif 000007
【図６】
0003175030.tif 000008
【図７】
0003175030.tif 000009
【図８】
0003175030.tif 000010
【図９】
0003175030.tif 000011
【図１０】
0003175030.tif 000012